【事件の表示】
　平成　７年特許願第２１５２４８号「アレンジボール機の遊技盤装飾装置」拒絶査定不服審判事件〔平成　９年　２月１０日出願公開、特開平　９−　３８２７４〕について、次のとおり審決する。
【結　論】
　本件審判の請求は、成り立たない。
【理　由】
第一、手続きの経緯
　本願は、平成７年７月３１日の出願であって、平成１６年１月２８日付けで拒絶理由が通知され、これに対し、同年４月１日付けで手続補正がなされ、同年５月１１日付けで拒絶査定がなされ、これに対し、同年６月１７日に拒絶査定に対する審判請求がなされるとともに、同年７月１５日付け手続補正書によって明細書の一部が補正されたものである。
　
第二、平成１６年７月１５日付けの手続補正についての補正却下の決定
［補正却下の決定の結論］
　平成１６年７月１５日付けの手続補正（以下、「本件補正」という。）を却下する。
［理由］
　（１）補正後の本願発明　　
　本件補正により、請求項１及び２のうち、請求項１は、「遊技盤（５）の下部に、多数の入球口（２８）が配列された入球口手段（２２）と、下縁側が円弧状に形成され且つ前記入球口手段（２２）を前側から覆う下部カバー（２９）と、前記各入球口（２８）に対応する入球位置表示ランプ（３５）を有し且つ前記下部カバー（２９）の上縁部に沿って横一列状に設けられた入球位置表示手段（３０）とを設けたアレンジボール機において、前記下部カバー（２９）の下縁側の左右両側に、前記遊技盤（５）側が開放する断面コ字状に形成され且つ前記下縁側に沿って円弧状に湾曲する合成樹脂製の装飾体（３８）を備え、該各装飾体（３８）の開放端側に、長手方向に所定間隔をおいて複数個の発光ランプ（４６）が装着され且つ装飾体（３８）の開放端を後側から塞ぐランプ支持板（４０）を着脱自在に装着し、前記各発光ランプ（４６）に対応して前記装飾体（３８）の前面の装飾面（４２）にレンズ部（４３）を一体に設けたことを特徴とするアレンジボール機の遊技盤装飾装置。」と補正された。
　
　上記補正は、補正前（平成１６年４月１日付け手続補正による補正）の特許請求の範囲の請求項１を削除し、補正前の請求項２及び３を、順次繰り上げて請求項１及び２とするとともに、
　補正前の請求項２に記載された発明を特定するために必要な事項である「レンズ部（４３）」について、「装飾体（３８）にレンズ部（４３）を設けた」を「装飾体（３８）の前面の装飾面（４２）にレンズ部（４３）を一体に設けた」と限定するものであるから、本件補正は、特許法第１７条の２第４項第１号の請求項の削除及び同条同項第２号の特許請求の範囲の減縮を目的とするものに該当する（なお、「下縁部」を「下縁側」とする補正は、出願当初の明細書を見ても技術的な差異は認められず、単なる表現上の差異と認める。）。
　
　（２）そこで、本件補正後の請求項１に記載された発明（以下、「本願補正発明」という。）が特許出願の際独立して特許を受けることができるものであるのか（平成１８年改正前特許法第１７条の２第５項において準用する同法第１２６条第５項の規定に適合するか）について以下に検討する。
　
　（あ）刊行物、及び周知技術を示す刊行物に記載された発明
刊行物１；特開平７−１３６３１４号公報（平成７年５月３０日公開）
刊行物２；特開平３−２９６７８号公報
周知技術を示す刊行物ア；実公平４−３３８８４号公報
周知技術を示す刊行物イ；特公昭６３−５３８３０号公報
周知技術を示す刊行物ウ；実公平７−４８４５号公報
　　　　　　　　　　　　　　　　　　　　（平成７年２月８日公告）
周知技術を示す刊行物エ；特開平５−１３７８３７号公報
　
　原査定の拒絶理由通知に引用された、特開平７−１３６３１４号公報（以下、「引用刊行物１」という。）には、以下の記載がある。
　（１−１）「【０００９】
【実施例】・・・図２中、１０はアレンジ式弾球遊技機を示すものであって、このアレンジ式弾球遊技機１０は、前面中央に位置する打球が流下する遊技盤２０と、この遊技盤２０の下方に位置し、遊技盤２０に打球を弾発するための打球発射装置３０とを備える。
【００１０】前記遊技盤２０には、図２に示すように、打球が流下する遊技部４０と、この遊技部４０の下方に位置し、流下した打球が入球する入球部５０とから構成されている。上記遊技盤２０は、ガイドレール（図示せず）で囲まれた遊技部４０を備え、この遊技部４０の表面には、複数の釘が打設され、遊技部４０内を流下する遊技球は、釘に当たって、その流下方向に変化が与えられる。
【００１１】上記入球部５０には、遊技部４０内を流下してきた打球が入球する入球口（図示せず）が１６個、開口を上方に向けて設けられている。また、入球部の前面には打球が入球した入球口を示すための入球表示部６０が設けられている。そして、遊技者が打球発射装置３０を操作して所定数の打球、例えば一遊技において１６発の打球を遊技部４０内に弾発し、この打球が入球した入球口の組み合わせが予め定めた所定の組み合わせとなった場合に、遊技者に対して特定の利益、例えば賞として遊技球を払い出していた。
【００１２】上記入球表示部６０は、図１に示すように、遊技機の前面に取り付けるフロントパネル７０に投光性を有するインジェクション板７１を設け、このインジェクション板７１の後方に発光装置８０・・・を内部に収納した収納部材９０を取り付けるとともに、インジェクション板７１の前方にフィルム１００を取り付けたものである。上記各発光装置８０は、図２に示すように、基板８１の前面に横並びに並んで配置されたＬＥＤからなり、それぞれのＬＥＤは遊技部４０内に設けた複数の入球口に対応して設けてある。本実施例では、入球口を１６カ所設けてあるので、発光装置８０・・・も１６個のＬＥＤから構成してある。遊技部４０内に弾発した打球が入球口に入球すると、対応する発光装置８０が発光して、入球した入球口を遊技者に知らせることができる。なお、発光装置８０はＬＥＤに限られず、フィルム１００を裏側から照明できればどのような部材でもよく、例えば、ランプを用いてもよい。
【００１３】上記した発光装置８０を内部に収納する収納部材９０は、図２に示すように、断面ロ字形の枠形をなし、この枠形の中空内部を縦方向に１５枚の区画壁９１・・・により左右に区画して、それぞれの発光装置８０を収納する１６個の収納室９２・・・を形成してある。各発光装置８０は、図１，３に示すように、区画壁９１・・・により離隔されているので、隣に並設された他の発光装置８０からの光に干渉されることなく、各発光装置８０の前方のみを照明することができる。
【００１４】上記したフィルム１００は、透光性を有する、例えばレキサンフィルムからなり、フィルム１００の表面にレンズ部１０１を形成し、フィルム１００の裏面に遮光部１０２を形成してある。このレンズ部１０１は、図３に示すように、フィルム１００の表面から盛り上がった凸レンズ状をなしており、各発光装置８０に対応する位置に設けられている。したがって、本実施例では、図１に示すように、フィルム１００の表面に１６個のレンズ部１０１・・・が横並びに形成されている。
【００１５】このレンズ部１０１を形成するには、硬化時に透光性を有する塩化ビニールやシリコン樹脂等の塗料をフィルム１００の表面に塗布する、いわゆるポティング加工を行えばよい。フィルム１００の表面に塗料を塗布すると、塗布した塗料は表面張力により凸レンズ状に盛り上がり、塗料が乾くことによりレンズ部１０１を形成するのである。
【００１６】したがって、レンズ部１０１は、印刷等の簡便な手段によりフィルム１００と一体に形成されているので、フィルム１００表面にいちいちレンズを取り付ける等の面倒な手間を要せず、入球表示部６０の作成が容易であるとともに、作成コストも軽減することが可能となる。・・・」　
　　　　　
　（１−２）また、【図１】乃至【図３】に示された事項を併せると、図面には、「遊技盤（２０）の下部に、入球部５０と、下縁側が円弧状に形成されるフロントパネル７０と、インジェクション板７１の上縁部に沿って横一列状に設けられた発光装置８０及び収納室９２並びにレンズ部１０１とを設けたアレンジ式弾球遊技機１０」の技術事項が示されている。　
　
　したがって、上記【００１２】の「発光装置８０はＬＥＤに限られず、・・・ランプを用いてもよい。」との記載に基づき、これらの記載をまとめると、引用刊行物１には、
「遊技盤（２０）の下部に、１６個の入球口が設けられた入球部５０と、下縁側が円弧状に形成されるフロントパネル７０と、前記フロントパネル７０に設けられたインジェクション板７１の上縁部に沿って横一列状に前記１６個の入球口に対応して設けられたランプ及び収納部材９０の収納室９２並びにレンズ部１０１とを設けたアレンジ式弾球遊技機１０において、
　前記入球部５０の前面に設けられる入球表示部６０は、遊技機の前面に取り付けるフロントパネル７０に投光性を有するインジェクション板７１を設け、このインジェクション板７１の後方に１６個のランプを内部に収納した収納部材９０を取り付けるとともに、インジェクション板７１の前方にフィルム１００を取り付けたものであり、
　前記１６個のランプは、基板８１の前面に横並びに並んで配置され、
　前記フィルム１００はレキサンフィルムからなり、
　前記各ランプに対応して前記フィルム１００の表面に１６個のレンズ部１０１を一体に形成した、アレンジ式弾球遊技機１０。」の発明（以下、「引用発明１」という。）が記載されていると認められる。
　
　原査定の拒絶理由通知に引用された、特開平３−２９６７８号公報（以下、「引用刊行物２」という。）には、以下の記載がある。
　（２−１）第２頁右上欄第１５行乃至右下欄第５行には「［第１実施例］
　第１図は、この発明が適用された第１実施例に係るアレンジボールと呼ばれる遊技装置の前面の構成例を示すもので、遊技盤１（第２図に、より詳しく示す）の前面には、下部の操作ダイヤル１５１の操作により駆動される打球発射装置（後述）によって発射された遊技球を遊技盤１の上方部まで案内するガイドレール３が配設され，遊技盤１前面のガイドレール３とガラス板とによって囲まれた空間に遊技領域２が設けられている。
　・・・
　遊技領域２の下部には１６区画された入球部を有する入球領域９が設けられ、該入球領域９の前面側部分には、区画された各入球部の下部前面側部分に「１」〜「１６」の数字が表示された単位表示部９ａを有する図柄表示器９Ａが設けられている。
　また、遊技領域２の左右両側下半部にはそれぞれ１０個ずつの得点表示部１７０ａを具えた得点アナログ表示器１７０が設置され、中段位置の左右両側には役物ランプ１６１，１６１が設置されている。」と、　
　（２−２）第３頁右上欄第３行乃至左下欄第９行には「図外の電源スイッチ操作によりパチンコ遊技機に電気が供給されると、入球領域９下部前面側の「１」〜「１６」の数字の表示された図柄表示器９Ａの全ての単位表示部９ａが赤色に点灯した状態となり、得点表示器１１０および発射数表示器１２０の表示がそれぞれ「０」，「０，０」表示状態となる。・・・また、得点アナログ表示器１７０，１７０の１０個ずつの各得点表示部１７０ａ中のランプは全て消灯した状態となる。
　・・・
　その打球発射装置（後述）の作動によって遊技領域２中に打ち込まれた遊技球が障害釘ｌ２や打球方向変換部材１３によりランダムに流下方向を変換されながら遊技領域２の下部に至って、その下部の入球領域９のいずれかの入球部（「１」〜「ｌ６」）中に流入したきには、その流入した入球部の図柄表示部９ａ（「１」〜「ｌ６」の数字表示がされている。）の点灯光が緑色に変化する。」と、　
　（２−３）第４頁右上欄第７行乃至右下欄第９行には「アレンジゲームは、この実施例の場合、その各ゲーム中、入球部「１」〜「１６」の緑色に変化した図柄表示部９ａが４つ並ぶごとに、得点が得られて、その得点が得点表示器１１０に数字表示されるとともに左右の得点アナログ表示器１７０の表示部がその得点分の個数だけ下から順に点灯される。緑色に変化した図柄表示部９ａが４つ並んだ後に、さらに緑色に変化した図柄表示部９ａが１つ連続追加するごとに１点ずつ特典が追加される。
　・・・そのゲームが終了して、得点表示器１２０および得点アナログ表示器１７０を除いて全ての部分が初期状態にリセットされて再ゲーム可能な状態に戻される。
　ゲームの終了時に精算スイッチボタン１０６を押せば、そのときの得点に応じた賞球排出が供給皿１０２中に行なわれて、図柄表示器９Ａ、得点表示器１２０および得点アナログ表示器１７０がリセットされて初期状態に戻される。」と、それぞれ記載されている。
　
　（２−４）遊技装置の正面図である第１図及び遊技盤の正面図である第２図には「図柄表示器９Ａの近傍に、円弧状に湾曲する得点アナログ表示器１７０を設置」の技術事項が示されている。　
　
　したがって、これらの事項をまとめると、引用刊行物２には、
「遊技領域２の下部には「１」〜「１６」の数字が表示された単位表示部９ａを有する図柄表示器９Ａが設けられ、
　前記図柄表示器９Ａの近傍であって、遊技領域２の左右両側下半部にはそれぞれ１０個ずつの得点表示部１７０ａを具えた得点アナログ表示器１７０が円弧状に湾曲して設置された、アレンジボールと呼ばれる遊技装置において、
　電気が供給されると、前記図柄表示器９Ａの全ての単位表示部９ａが赤色に点灯した状態となり、得点アナログ表示器１７０，１７０の１０個ずつの各得点表示部１７０ａ中のランプは全て消灯した状態となり、
　遊技領域２中に打ち込まれた遊技球が入球領域９のいずれかの入球部中に流入したきには、その流入した入球部の図柄表示部９ａの点灯光が緑色に変化し、
　その各ゲーム中、入球部の緑色に変化した図柄表示部９ａが４つ並ぶごとに、得点が得られて、左右の得点アナログ表示器１７０の表示部がその得点分の個数だけ下から順に点灯され、さらに緑色に変化した図柄表示部９ａが１つ連続追加するごとに１点ずつ特典が追加され、
　ゲームの終了時に精算スイッチボタン１０６を押せば、図柄表示器９Ａ、および得点アナログ表示器１７０がリセットされて初期状態に戻される、遊技装置。」の発明（以下、「引用発明２」という。）が記載されていると認められる。
　
　本願出願前に頒布された、実公平４−３３８８４号公報（以下、「周知刊行物ア」という。）には、以下の記載がある。
　（ア−１）第１頁第１欄第２０行乃至第２２行には「本考案は、パチンコ機の遊技板表面部分に装備される入賞球の飛入等を表示する表示用ランプに関する。」と、
　（ア−２）第２頁第３欄第９行乃至第１９行には「即ち、本考案はランプ取付用の取付基板と、取付基板の表面に装着されるランプのカバーとからなる表示用ランプにあつて、カバーは箱形に形成して開口縁の任意の位置に係止爪を突設する係止片を複数個設け、他方前記取付基板には上記係止片に各対応した位置に深さが板の背面を限度とし内部に係止受部を有した凹部を設け、・・・前記カバーを着脱自由に組付けられるようにしてなるパチンコ機における表示用ランプを提供することにある。」と、
　（ア−３）第２頁第４欄第３行乃至第３４行には「表示用ランプ５は取付基板５ａとカバー５ｂとからなり、取付基板５ａは中央部に間隔をおいてランプ６を覗かせる窓７を穿ち、この窓を避けて止めネジを通す透孔８を設けてある。
  この取付基板５ａは幾分肉厚の合成樹脂板からなつており、周縁部に沿つた表面にカバー５ｂの縁を嵌合する溝９を設けると共に、この溝に沿つた２ケ所に表面から背面に貫く凹部１０を設け、更にこの凹部の内に鈎形の係止受部１１を設けてある。そして取付基板の背面にはランプ６を装着するためのソケツト１２が一体に設けてある。
  一方、カバー５ｂは半透明の合成樹脂を素材に箱形に形成してあり、この開口縁には前記取付基板の凹部１０に対向させて先端に係止爪１３を有した係止片１４を突設してある。
  ・・・
  この構成に係る本考案表示用ランプ５は先ず取付基板５ａを遊技板１に予じめ開設しておく取付穴１６に前面側から臨ませてソケツト１２を嵌め入れ、背面を遊技板表面に接面させたところで止めネジ（図示せず）を透孔８に通してネジ付け、その透孔を行つたのち、カバー５ｂを前面から臨ませて係止片１４を凹部１０に突き入れ素材の弾性で撓ませた係止爪１３を係止受部１１に係合させてその取付を行うことになる。」と、それぞれ記載されている。
　
　（ア−４）分解拡大斜視図である第２図及び縦断拡大側面図である第３図には、「遊技板１側が開放する断面コ字状に形成されたカバー５ｂ」及び「長手方向に所定間隔をおいて複数個のランプ６が装着された取付基板５ａ」の技術事項が示されている。
　　　
　したがって、これらの事項をまとめると、周知刊行物アには、
「長手方向に所定間隔をおいて複数個のランプ６が装着された合成樹脂製の取付基板５ａと、遊技板１側が開放する断面コ字状に形成され、前記取付基板５ａの表面に着脱自由に装着される合成樹脂製カバー５ｂとからなる、パチンコ機における表示用ランプ５。」の発明（以下、「周知発明ア」という。）が記載されていると認められる。
　
　本願出願前に頒布された、特公昭６３−５３８３０号公報（以下、「周知刊行物イ」という。）には、以下の記載がある。
　（イ−１）第１頁第１欄第１９行乃至第２０行には「この発明はマトリツクス表示部を備えたパチンコ機に関し、・・・」と、　
　（イ−２）第３頁第６欄第１２行乃至第１６行には「上記得点表示装置４４は、第６図に示す如く、「１点」〜「１０点」の各得点表示ランプ４４Ａ〜４４Ｊを下から順番に配列して成るランプ基板４５に、得点数を各表示窓４６に着色表示してなるケース４７を被せて遊技盤５に固定して成る。」と、それぞれ記載されている。　
　
　（イ−３）得点表示装置の分解斜視図である第６図には、「遊技盤５側が開放する断面コ字状に形成されたケース４７」及び「長手方向に所定間隔をおいて複数個の得点表示ランプが装着されたランプ基板４５」の技術事項が示されている。
　
　したがって、これらの事項をまとめると、周知刊行物イには、
「長手方向に所定間隔をおいて複数個の得点表示ランプが装着されたランプ基板４５に、遊技盤５側が開放する断面コ字状に形成されたケース４７を被せて遊技盤５に固定して成る、パチンコ機の得点表示装置４４。」の発明（以下、「周知発明イ」という。）が記載されていると認められる。
　
　本願出願前に頒布された、実公平７−４８４５号公報（以下、「周知刊行物ウ」という。）には、以下の記載がある。
　（ウ−１）第２頁第３欄第１６行乃至第１９行には「〈産業上の利用分野〉
本考案は、パチンコ機列の前面上方にパチンコ機ごとに設けて、係員の呼び出し等に使用するパチンコ機列用ランプ表示器に関するものである。」と、　
　（ウ−２）第２頁第４欄第４３行乃至第３頁第５欄第３行には「パチンコ機列用ランプ表示器５は、第２図及び第３図に示すように、横長な略筺状のケーシング１０内に発光源としてランプ１１・・・を６個横に並べて設け、中央に配置した２つのランプ１１ａ，１１ａの前方には透光性を有して適宜な色彩（例えば緑色）に着色した中央レンズ部材１２を、左側と右側に２つ宛配置したランプ１１ｃ，１１ｂ，１１ｂ，１１ｃの前方には透光性を有して適宜な色彩（例えば赤色）に着色した左レンズ部材１３、右レンズ部材１４を夫々着脱可能に取付け、上記中央レンズ部材１２の下方にはパチンコ機１の台番号を記載した台番号プレート１５を貼設するとともに遊技者が操作するスイッチ１６を設ける。・・・」と、それぞれ記載されている。
　　
　（ウ−３）パチンコ機列用ランプ表示器の正面図である第２図及びパチンコ機列用ランプ表示器の一部欠截側面図である第３図には、「左レンズ部材１３及び右レンズ部材１４は、各ランプ１１ｃ，１１ｂ，１１ｂ，１１ｃの位置に対応して突出」の技術事項が示されている。
　　
　したがって、これらの事項をまとめると、周知刊行物ウには、
「ケーシング１０内にランプ１１・・・を６個横に並べて設け、中央に配置した２つのランプ１１ａ，１１ａの前方には中央レンズ部材１２を、左側と右側に２つ宛配置したランプ１１ｃ，１１ｂ，１１ｂ，１１ｃの前方には左レンズ部材１３、右レンズ部材１４を夫々着脱可能に取付けたパチンコ機列用ランプ表示器５において、左レンズ部材１３及び右レンズ部材１４は、各ランプの位置に対応した部分を突出形状とした、ランプ表示器５。」の発明（以下、「周知発明ウ」という。）が記載されていると認められる。
　
　本願出願前に頒布された、特開平５−１３７８３７号公報（以下、「周知刊行物エ」という。）には、以下の記載がある。
　（エ−１）「【００２６】図２（ａ）は、本発明の第２の実施例で用いられる、特定表示態様出力手段の他の一例のサイドランプ装置を示す。このサイドランプ装置は、第１図に示されるようなパチンコ遊技機１の、サイドランプ３０ａ、３０ｂに代えて使用することができる。
【００２７】図２（ａ）を参照して、このサイドランプ装置は、赤色のサイドランプ４３と、サイドランプ４３の外側に設けられた緑の色レンズ３９と、色レンズ３９の外側に設けられた黄色の色レンズ４０と、色レンズ４０の外側に設けられた赤色の色レンズ４１とを含む。各色レンズ３９、４０、４１の裏側にはランプが設けられており、これら各ランプと色レンズ３９〜４１は取付基板４２に取付けられている。」、　
　（エ−２）「【００２９】各色レンズ４１、４０、３９の裏側に設けられたランプ（またはＬＥＤ）は、図１に示される可変表示部１５の停止時の表示結果がそれぞれラッキー番号、交換番号、ラッキー終了番号であるときに点灯する。」、　
　（エ−３）「【００３２】図２（ａ）に示される第２の実施例の場合には、各番号が表示されたことを示すための色レンズが設けられていた。しかし、異なった色の発光表示を行なうための手段としてはこれに限らず、たとえば、レンズに色シールを貼着してもよい。また、図２（ａ）に示される例の場合には、ラッキー番号、交換番号、ラッキー終了番号のそれぞれに１つずつのランプが割当てられているが、・・・」。　
　　　　
　したがって、これらの事項をまとめると、周知刊行物エには、
「緑の色レンズ３９と、黄色の色レンズ４０と、赤色の色レンズ４１とが取付基板４２に取付けられているパチンコ遊技機のサイドランプ装置において、各色レンズ３９、４０、４１の裏側にはそれぞれに１つずつのランプが設けられているサイドランプ装置。」の発明（以下、「周知発明エ」という。）が記載されていると認められる。
　　
　（い）本願補正発明と引用発明１との比較・検討
　（い−１）引用発明１の「遊技盤（２０）」は、本願補正発明の「遊技盤（５）」に相当し、以下同様に、「１６個の入球口」は「多数の入球口（２８）」に、「入球部５０」は「入球口手段（２２）」に、「フロントパネル７０」及び「フロントパネル７０に設けられたインジェクション板７１」は「下部カバー（２９）」に、「インジェクション板７１の上縁部に沿って横一列状に前記１６個の入球口に対応して設けられたランプ及び収納部材９０の収納室９２並びにレンズ部１０１とを設けた」は「各入球口（２８）に対応する入球位置表示ランプ（３５）を有し且つ前記下部カバー（２９）の上縁部に沿って横一列状に設けられた入球位置表示手段（３０）とを設けた」に、「アレンジ式弾球遊技機１０」は「アレンジボール機」に、それぞれ相当する。
　（い−２）引用発明１の「１６個の入球口が設けられた入球部５０」について検討すると、アレンジボール機において多数の入球口が配列されることは技術常識であるから、引用発明１は、本願補正発明の「多数の入球口（２８）が配列された入球口手段（２２）」に相当する技術事項を有していると認められる。
　（い−３）引用発明１の「入球部５０の前面に設けられる入球表示部６０」について検討すると、入球表示部６０はインジェクション板７１を備えているから、引用発明１は「入球部５０の前面に設けられるインジェクション板７１」の技術事項を有している。そうすると、引用発明１は本願補正発明の「入球口手段（２２）を前側から覆う下部カバー（２９）」に相当する技術事項を有していると認められる。
　　
　したがって、両者の一致点及び相違点は次のとおりである。
　
　一致点
　遊技盤の下部に、多数の入球口が配列された入球口手段と、下縁側が円弧状に形成され且つ前記入球口手段を前側から覆う下部カバーと、前記各入球口に対応する入球位置表示ランプを有し且つ前記下部カバーの上縁部に沿って横一列状に設けられた入球位置表示手段とを設けたアレンジボール機。
　
　相違点
　（Ａ）本願補正発明では下部カバーの下縁側の左右両側に、遊技盤側が開放する断面コ字状に形成され且つ前記下縁側に沿って円弧状に湾曲する合成樹脂製の装飾体を備えるのに対し、引用発明１では下部カバーに装飾体を備えるかどうか明らかでない点。
　（Ｂ）本願補正発明では各装飾体の開放端側に、長手方向に所定間隔をおいて複数個の発光ランプが装着され且つ装飾体の開放端を後側から塞ぐランプ支持板を着脱自在に装着したのに対し、引用発明１では長手方向に所定間隔をおいて複数個のランプが装着される基板８１を装着した点。
　（Ｃ）本願補正発明では、各発光ランプに対応して装飾体の前面の装飾面にレンズ部を一体に設けたのに対し、引用発明１では各ランプに対応してフィルム１００の表面にレンズ部１０１を一体に設けた点。
　
　そこで、上記相違点について検討する。
　相違点（Ａ）について　
　引用発明２に示された「遊技領域２の左右両側下半部に設置された、円弧状に湾曲する得点アナログ表示器１７０」は各ゲーム中、得点分の個数だけ下から順に点灯され、得点が得られるごとに追加される、即ち点灯態様が変化するものであるから、装飾装置を構成すると認められる。そして、遊技盤側が開放する断面コ字状に形成される発光表示部材を備えることは、例えば、周知発明アに示された「カバー５ｂ」及び周知発明イに示された「ケース４７」のように周知・慣用の技術である。また、装飾体を合成樹脂製とすることは当該分野においては周知・慣用の技術である。さらに、装飾装置の設置場所を遊技盤の何処にするかは、他の装置との位置関係や遊技者にとっての見易さなどを考慮して当業者が適宜なし得る設計上の事項である。そうすると、遊技装置における発光体において共通する引用発明２及び周知・慣用技術を引用発明１に適用し相違点（Ａ）に係る本願補正発明を特定する事項とすることは、当業者が容易になし得ることである。　
　相違点（Ｂ）について　
　長手方向に所定間隔をおいて複数個の発光ランプが装着されたランプ支持板を発光表示部材の開放端を後側から塞ぐように装着する技術は、例えば、周知発明アに示された「取付基板５ａの表面に装着されるカバー５ｂ」及び周知発明イに示された「ランプ基板４５に被せられるケース４７」のように周知・慣用の技術である。また、装飾体を遊技盤に設けること、及び装着手段として着脱自在とすることは、それぞれ周知・慣用の技術である。したがって、当該周知・慣用技術を引用発明１に適用して、相違点（Ｂ）に係る本願補正発明を特定する事項とすることは、当業者が容易になし得たものである。
　相違点（Ｃ）について　
　各発光ランプに対応して前面を覆う部材にレンズ部を一体に設ける技術は、例えば、周知発明ウに示された「ランプの前方に取付けた左レンズ部材１３及び右レンズ部材１４」及び周知発明エに示された「各ランプの表側にそれぞれ設けられている各色レンズ３９、４０、４１」のように周知・慣用の技術である。また、装飾体を遊技盤に設けることは、周知・慣用の技術である。したがって、当該周知・慣用技術を引用発明１に適用し、相違点（Ｃ）に係る本願補正発明を特定する事項とすることは、当業者が容易になし得ることである。
　
　また、本願補正発明が格別の効果を奏するものとは認められない。
　
　したがって、本願補正発明は、引用発明１及び引用発明２並びに周知・慣用技術に基づいて、当業者が容易に発明をすることができたものであるから、特許法第２９条第２項の規定により特許出願の際独立して特許を受けることができないものである。
　
　（う）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
第三、本願発明について
　平成１６年７月１５日付けの手続補正は上記のとおり却下されたので、本願の請求項１乃至３に係る発明は、上記平成１６年４月１日付けで補正された明細書の記載からみて、その特許請求の範囲の請求項１乃至３に記載された事項により特定されるものと認められるところ、その請求項１に記載された発明は次のとおりのものである。
　「遊技盤（５）の下部に、多数の入球口（２８）が配列された入球口手段（２２）と、下縁部が円弧状に形成され且つ前記入球口手段（２２）を前側から覆う下部カバー（２９）と、前記各入球口（２８）に対応する入球位置表示ランプ（３５）を有し且つ前記下部カバー（２９）の上縁部に沿って横一列状に設けられた入球位置表示手段（３０）とを設けたアレンジボール機において、前記下部カバー（２９）の下縁部の左右両側に、前記遊技盤（５）　側が開放する断面コ字状に形成され且つ前記下縁部に沿って円弧状に湾曲する合成樹脂製の装飾体（３８）を備え、該各装飾体（３８）の開放端側に、長手方向に所定間隔をおいて複数個の発光ランプ（４６）が装着され且つ装飾体（３８）の開放端を後側から塞ぐランプ支持板（４０）を着脱自在に装着したことを特徴とするアレンジボール機の遊技盤装飾装置。」（以下、「本願発明」という。なお、本願発明の「下縁部」と本願補正発明の「下縁側」とを比較しても、技術的な差異は認められず、単なる表現上の差異と認める。）
　
　（あ）刊行物、及び周知技術を示す刊行物に記載された発明
　原査定の拒絶理由通知に引用された刊行物と本願出願前に頒布された刊行物及びその記載事項は前記「第二、（２）（あ）」に記載したとおりである。
　
　（い）本願発明と引用発明１との比較・検討
　本願発明は、前記「第二、（２）（い）」で検討した本願補正発明から「各発光ランプに対応して装飾体の前面の装飾面にレンズ部を一体に設けた」との構成を削除したものに相当し、この構成の削除に伴い、上記相違点（Ｃ）は存在しなくなったものである。
　そうすると、本願発明と引用発明１とは上記相違点（Ａ）及び（Ｂ）で相違し、これらの相違点（Ａ）及び（Ｂ）についての検討内容は前記「第二、（２）（い）」に記載したとおりであるから、本願発明は、引用発明１及び引用発明２並びに周知・慣用技術に基づいて、当業者が容易に発明をすることができたものである。
　
　（う）むすび
　以上のとおり、本願発明は、引用発明１及び引用発明２並びに周知・慣用技術に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。